(57)【要約】【課題】  可撓性が大きく低下することを抑制しながらも、長期間の使用においても型くずれし難い耐久性に優れた野球用グラブを提供することができるようにする点にある。【解決手段】  ほぼ同一の外形寸法を有する２枚のシート状の被覆部材と、被覆部材４，５よりも小さな外形寸法を有し、２枚の被覆部材４，５の間に挟持され、硬質の材料でなる板状の第１補強材６と被覆部材４，５とほぼ同一の外形を有し、第１補強材６の厚みよりも薄く、第１補強材６よりも軟質で、被覆部材４，５よりも硬質の材料で構成する第２補強材７とから野球用グラブの芯材２を構成した。【選択図】    図３
2005177058.tif 000002
【特許請求の範囲】
【請求項１】
親指袋の長手方向ほぼ全域に渡る長さ及び小指袋の長手方向ほぼ全域に渡る長さにそれぞれ構成してなる野球用グラブの芯材において、ほぼ同一の外形寸法を有するシート状の２枚の被覆部材と、該被覆部材よりも小さな外形寸法を有し、前記２枚の被覆部材の間に挟持され、硬質の材料でなる板状の第１補強材と該被覆部材とほぼ同一の外形を有し、該第１補強材の厚みよりも薄く、該第１補強材よりも軟質で、該被覆部材よりも硬質の材料で構成する第２補強材とから構成したことを特徴とする野球用グラブの芯材。
【請求項２】
前記２枚の被覆部材のうちの一方の被覆部材を、掌部の手首側部位に渡る長尺な寸法に構成してなる請求項１記載の野球用グラブの芯材。
【請求項３】
前記親指袋側の２枚の被覆部材のうちの一方の被覆部材と、前記小指袋側の２枚の被覆部材のうちの該親指袋側と同一側の被覆部材を、親指袋、掌部の手首側部位、小指袋に渡る一枚の長尺な寸法を有する部材から構成してなる請求項１記載の野球用グラブの芯材。
【請求項４】
前記被覆部材がフェルトからなり、前記第２補強材が革又は合成皮革からなる請求項１〜３のいずれかに記載の野球用グラブの芯材。
【請求項５】
親指袋の長手方向ほぼ全域に渡る長さ及び小指袋の長手方向ほぼ全域に渡る長さにそれぞれ構成された芯材を内装してなる野球用グラブにおいて、前記芯材を、ほぼ同一の外形寸法を有するシート状の２枚の被覆部材と、該被覆部材よりも小さな外形寸法を有し、前記２枚の被覆部材の間に挟持され、硬質の材料でなる板状の第１補強材と該被覆部材とほぼ同一の外形を有し、該第１補強材の厚みよりも薄く、該第１補強材よりも軟質で、該被覆部材よりも硬質の材料で構成する第２補強材とから構成したことを特徴とする野球用グラブ。
【請求項６】
前記２枚の被覆部材のうちの一方の被覆部材を、掌部の手首側部位に渡る長尺な寸法に構成してなる請求項５記載の野球用グラブ。
【請求項７】
前記親指袋側の２枚の被覆部材のうちの一方の被覆部材と、前記小指袋側の２枚の被覆部材のうちの該親指袋側と同一側の被覆部材を、親指袋、掌部の手首側部位、小指袋に渡る一枚の長尺な寸法を有する部材から構成してなる請求項５記載の野球用グラブ。
【請求項８】
前記被覆部材がフェルトからなり、前記第２補強材が革又は合成皮革からなる請求項５〜７のいずれかに記載の野球用グラブ。
【発明の詳細な説明】
【技術分野】
【０００１】
本発明は、保形性を高めるための野球用グラブの芯材及び保形性を高めるための芯材が内装された野球用グラブに関する。
【背景技術】
【０００２】
上記野球用グラブの外装用袋を構成する５つの指袋のうちの少なくとも両端に位置する親指袋及び小指袋に、芯材を内装することによって、グラブの保形性を高めて型くずれしないようにしているものが提案されている（例えば、特許文献１参照。）。
【特許文献１】実開平５−３５１７３号公報（図１、図２）
【発明の開示】
【発明が解決しようとする課題】
【０００３】
上記特許文献１に記載されている芯材として、野球用グラブの可撓性が大きく低下することがないようにある程度の厚みを有するフェルトを用いている。しかしながら、長期間の使用中に野球用グラブの親指袋及び小指袋の横側の端面を地面などに何度も接当させることにより、親指袋及び小指袋が型くずれしてしまい、使用し難いものになることがあった。
【０００４】
本発明が前述の状況に鑑み、解決しようとするところは、可撓性が大きく低下することを抑制しながらも、長期間の使用においても型くずれし難い耐久性に優れた野球用グラブを提供することができるようにする点にある。
【課題を解決するための手段】
【０００５】
本発明は、前述の課題解決のために、親指袋の長手方向ほぼ全域に渡る長さ及び小指袋の長手方向ほぼ全域に渡る長さにそれぞれ構成してなる野球用グラブの芯材において、ほぼ同一の外形寸法を有するシート状の２枚の被覆部材と、該被覆部材よりも小さな外形寸法を有し、前記２枚の被覆部材の間に挟持され、硬質の材料でなる板状の第１補強材と該被覆部材とほぼ同一の外形を有し、該第１補強材の厚みよりも薄く、該第１補強材よりも軟質で、該被覆部材よりも硬質の材料で構成する第２補強材とから芯材を構成した。又、親指袋の長手方向ほぼ全域に渡る長さ及び小指袋の長手方向ほぼ全域に渡る長さにそれぞれ構成された芯材を内装してなる野球用グラブにおいて、前記芯材を、ほぼ同一の外形寸法を有するシート状の２枚の被覆部材と、該被覆部材よりも小さな外形寸法を有し、前記２枚の被覆部材の間に挟持され、硬質の材料でなる板状の第１補強材と該被覆部材とほぼ同一の外形を有し、該第１補強材の厚みよりも薄く、該第１補強材よりも軟質で、該被覆部材よりも硬質の材料で構成する第２補強材とから構成した野球用グラブであってもよい。
上記のように２枚の被覆部材の間に、被覆部材よりも外形寸法の小さな硬質の材料、例えば硬質の合成樹脂（硬質の合成樹脂がコスト面や加工面において有利であるが、カーボンやグラスファイバーなどであってもよい）でなる板状の第１補強材と被覆部材とほぼ同一の外形を有し、第１補強材の厚みよりも薄く、該第１補強材よりも軟質で、被覆部材よりも硬質の材料で構成する第２補強材を入れることによって、厚みのある第１補強材を被覆部材と同一外形寸法にした場合に比べて、野球用グラブの可撓性が大きく低下することを抑制することができ、しかも、第１補強材が入っていない被覆部材の外縁部が変形することを第１補強材の厚みよりも薄い第２補強材にて阻止することで、野球用グラブの親指袋及び小指袋の端面が型くずれすることを可撓性が大きく低下することを抑制しながらも、確実に回避することができる。さらに、前記補強材を被覆部材よりも硬質で第１補強材よりも軟質の材料、例えば革又は合成皮革（場合によっては軟質の合成樹脂）で構成することによって、捕球時においてボールからの大きな衝撃力を受けても割れにくくすることができる。
又、前記２枚の被覆部材のうちの一方の被覆部材を、掌部の手首側部位に渡る長尺な寸法に構成してもよい。
又、前記親指袋側の２枚の被覆部材のうちの一方の被覆部材と、前記小指袋側の２枚の被覆部材のうちの該親指袋側と同一側の被覆部材を、親指袋、掌部の手首側部位、小指袋に渡る一枚の長尺な寸法を有する部材から構成してもよい。
又、前記被覆部材をフェルトから構成し、前記第２補強材を革又は合成皮革から構成することが好ましい。
【発明の効果】
【０００６】
可撓性を有する２枚のシート状の被覆部材間に、硬質の合成樹脂材料でなる板状の第１補強材と第１補強材にて補強できていない被覆部材の外周縁を補強するための第２補強材とを挟持してなる芯材を、野球用グラブの親指袋及び小指袋に内装することによって、例えばそれら親指袋及び小指袋の端面が地面との接当により平らになるといったような型くずれが発生することがなく、野球用グラブを長期間において良好に使用することができる。しかも、薄く構成された第２補強材を被覆材よりも硬質で第１補強材よりも軟質の材料（革又は合成皮革あるいは軟質の合成樹脂）にて構成することによって、薄い第２補強材が捕球時においてボールからの大きな衝撃力を受けても割れにくくすることができ、長期間に渡って良好に使用することができる信頼性の高い野球用グラブを提供することができる。
【０００７】
２枚の被覆部材のうちの一方の被覆部材を、親指袋から掌部の手首側部位に渡る長さに構成することによって、野球用グラブの掌部（グラブの土手とかヒール部とも言う）における補強の向上をも図ることができながらも、掌部が厚くなり過ぎてボールが撥ねて捕球し難くなるといったことを抑制することができ、より一層使用面においても優れた野球用グラブとすることができる。
【０００８】
親指袋側の２枚の被覆部材のうちの一方の被覆部材と小指袋側の２枚の被覆部材のうちの親指袋側と同一側の被覆部材を、親指袋、掌部の手首側部位、小指袋に渡る一枚の長尺な寸法を有する部材から構成することによって、部品点数の削減化を図りながらも、前述したように野球用グラブの掌部の補強の向上を図ることができながらも、掌部が厚くなり過ぎてボールが撥ねて捕球し難くなることを抑制することができ、より一層使用面においても優れた野球用グラブとすることができる。
【発明を実施するための最良の形態】
【０００９】
図１に、野球用グラブが示されており、この野球用グラブは、捕球面を構成する掌部１Ｓとこの掌部１Ｓの外周縁から延出された５本の指の腹側に渡る指部とからなる内側部と、これら捕球面と反対側に位置して手を挿入することができると共に５本の指袋１Ａ，１Ｂ，１Ｃ，１Ｄ，１Ｅを構成するための爪側の外側部とから構成されたグラブ本体１と、このグラブ本体１の指袋のうちの親指袋１Ａ及び小指袋１Ｂに内装されてグラブ本体１の保形性を高めるための芯材２，３とからなっている。前記グラブ本体１は、一般に革、合成皮革、これらとほぼ同質の素材から構成することが望ましいが、他の素材から構成することもできる。又、前記グラブ本体１は、図では５本指袋を備えたものからなっているが、２本又は３本の指袋から構成したもの等、グラブ本体１の形状及び構成は図に示されるものに限定されるものではない。
【００１０】
前記親指袋１Ａに内装された芯材２は、図２及び図３に示すように、親指袋１Ａの長手方向ほぼ全域に渡る長さでかつ親指袋１Ａの横幅寸法とほぼ同一に構成された指部４Ａとこの指部４Ａから掌表面のうちの手首側寄りの一部に相当する掌部（土手やヒール部とも言う）４Ｂとからなり、厚みがほぼ５ｍｍ程度（どのような厚みに設定しても良いが、ある程度の保形強度が必要であるため、３ｍｍ以上が好ましい）のシート状でほぼナイフ形状をしたフェルトからなる第１被覆部材４と、この第１被覆部材４のほぼ２／３の部分に重ね合わせることができるように横幅がほぼ同一に構成され、厚みが第１被覆部材４よりも少し厚いほぼ６ｍｍ程度（第１被覆部材４と同じ厚みにしてもよい他、どのような厚みに設定しても良いが、ある程度の保形強度が必要であるため、３ｍｍ以上が好ましい）でほぼ指形状をしたフェルトからなる第２被覆部材５と、これら２枚の被覆部材４，５間に挟持保持された第１補強材６及び第２補強材７とからなっている。前記被覆部材４，５は、耐久性の点からフェルトから構成した方が好ましいが、軟質の塩化ビニールや軟質のポリエチレン等の合成樹脂の他、発泡剤にて発泡させた発泡合成樹脂でもあってもよい。図２及び図３に示す８は、図１で示した紐９を貫通させてグラブ本体１に固定するための貫通孔である。図２及び図３では、指部４Ａとこの指部４Ａから掌表面のうちの手首側寄りの一部に渡る掌部４Ｂとから芯材２を構成したが、図６に示すように、指部４Ａと掌部４Ｂとを別々に構成してもよい。図１では、親指袋１Ａ又は小指袋１Ｂに内装する芯材２又は３を、それの第２被覆部材５が掌部１Ｓ側に位置するように配置しているが、第１被覆部材４が掌部１Ｓ側に位置するように配置してもよい。又、図１では、第１補強材６が掌部１Ｓ側に位置するように芯材を配置しているが、第２補強材７が掌部１Ｓ側に位置するように芯材を配置して実施してもよい。
前記第１被覆部材４をもう一方の第２被覆部材５よりも長尺な寸法にすることによって、掌部の補強を可撓性が大きく低下することなく、実現することができるようにしているが、図９に示すように、第１被覆部材４の掌部４Ｂとほぼ同一の外形寸法を有すると共に第２被覆部材５とほぼ同一の厚みを有する第２被覆部材５側の掌部１３を重ね合わせて縫い合わせることにより一体化したものから、前記芯材２を構成してもよい。この場合、前記掌部１３を第１被覆部材４や第２被覆部材５よりも軟らかい材料（フェルトが好ましいが、軟質の合成樹脂や発泡合成樹脂であってもよい）で構成することによって、捕球がやり難いといったことを改善することができる。尚、前記掌部１３を掌部４Ｂに縫い合わせないで掌部１３に図６で示すような貫通孔４ｂを形成し、図１１で示すように紐１４を掌部１３の貫通孔４ｂを縦方向（野球用グラブの厚み方向）に貫通させて野球用グラブへ掌部１３を固定するようにしてもよい。又、図には示していないが、前記掌部１３及び第１被覆部材４の掌部４Ｂの両方に貫通孔４ｂを備えさせて、両者を前記紐１４にて野球用グラブへ固定するようにしてもよい。
【００１１】
前記小指袋１Ｂに内装された芯材３は、図４及び図５に示すように、小指袋１Ｂの長手方向ほぼ全域に渡る指部からなり、厚みがほぼ５ｍｍ程度（どのような厚みに設定しても良いが、ある程度の保形強度が必要であるため、３ｍｍ以上が好ましい）のシート状でほぼ指形状をしたフェルトからなる第１被覆部材４Ｃと、この第１被覆部材４のほぼ全体に重ね合わせることができるように長さ及び横幅が共にほぼ同一に構成され、厚みが第１被覆部材４Ｃよりも少し厚いほぼ６ｍｍ程度（第１被覆部材４Ｃと同じ厚みにしてもよい他、どのような厚みに設定しても良いが、ある程度の保形強度が必要であるため、３ｍｍ以上が好ましい）に構成された指形状のフェルトからなる第２被覆部材５Ｃと、これら２枚の被覆部材４Ｃ，５Ｃ間に挟持保持された第１補強材６Ｃ（図３のものとほぼ同一のもの）及び第２補強材７Ｃとからなっている。前記被覆部材４Ｃ，５Ｃは、耐久性の点からフェルトから構成した方が好ましいが、軟質の塩化ビニールや軟質のポリエチレン等の合成樹脂の他、発泡剤にて発泡させた発泡合成樹脂であってもよい。図４及び図５に示す８Ｃは、図１で示した紐１０を貫通させて芯材３をグラブ本体１に固定するための貫通孔である。
前記親指袋１Ａ側の芯材２の一方の第１被覆部材４（第２被覆部材５でもよい）を掌部１Ｓまで渡る長尺な寸法に構成したが、親指袋１Ａ側の芯材２の２枚の被覆部材４，５を、親指袋１Ａの長手方向ほぼ全域に渡る長さに構成し、前記小指袋１Ｂ側の芯材３の一方の第１被覆部材４Ｃ（又は第２被覆部材５Ｃ）を掌部１Ｓまで渡る長尺な寸法に構成して実施してもよい。
【００１２】
前記第１補強材６又は６Ｃは、図３又は図５に示すように、前記第２被覆部材５又は５Ｃよりも一回り小さな外形寸法を有し、厚みがほぼ３ｍｍ程度（２ｍｍ以上が好ましい）の硬質のポリプロピレン（硬質の合成樹脂であれば、各種の合成樹脂を用いることができるが、硬質材料であれば、他の材料であってもよい）からなる板状のほぼ長円形となる部材からなっている。そして、図３又は図５に示すように、前記第２被覆部材５又は５Ｃとほぼ同一形状で厚みがほぼ１〜２ｍｍ程度の薄い板状で、革又は合成皮革（革又は合成皮革とほぼ同一の強度を有する材料であれば、軟質の合成樹脂であってもよい）でなる部材から前記第２補強材７又は７Ｃを構成している。このように構成することによって、厚みのある第１補強材６又は６Ｃの外形寸法を被覆部材５又は５Ｃよりも一回り小さく構成することによって、芯材２又は３の可撓性が大きく低下することを抑制しながらも、第１補強材６又は６Ｃにてカバーできていない部分を薄い第２補強材７又は７Ｃにて補強することで、野球用グラブが型くずれすることを確実に阻止することができるようにしている。
【００１３】
図１〜図６では、親指袋１Ａ及び小指袋１Ｂに内装される芯材を別々に構成したもの２，３を示したが、図７に示すように、２枚の被覆部材４，５のうちの一方、つまり第１被覆部材４を、親指袋１Ａ及び小指袋１Ｂのほぼ全域とこれらの間に位置する掌部１Ｓの手首側寄り部位とに渡る長尺な寸法に構成することによって、部品点数を削減することができるようにしている。図７に示す１１は貫通孔であり、図８に示すように、図７で示した長尺な寸法の芯材をそれの両端を図７の矢印の方向へ折り曲げて野球用グラブに内装した状態で、紐１２を貫通孔１１に縦方向（野球用グラブの厚み方向）に貫通させて野球用グラブへ固定するようにしている。
【００１４】
前記掌部１Ｓに内装する芯材（補強材）を、図１〜図５では、一方の第１被覆部材４の掌部４Ｂから構成し、又、図６では、別体構成した部材４Ｂから構成している。つまり前記芯材２又は３よりもほぼ半分以下の厚みのものから掌部１Ｓに内装する芯材を構成することによって、野球用グラブの可撓性が大きく低下することを抑制すると共に、ボールが撥ねることがなく捕球しやすい耐久性に優れた野球用グラブを提供することができる。尚、図６で示した別体構成した部材４Ｂの場合には、図１１で示すように、紐１４を縦方向（野球用グラブの厚み方向）に貫通孔４ｂに貫通させて野球用グラブへ固定することによって、部材４Ｂを野球用グラブの掌部１Ｓに固定するようにしている。又、図１１では図１０に示す第１被覆部材４を親指袋１Ａに内装し、それの掌部４Ｂに形成された貫通孔４ｂに紐１４を縦方向（野球用グラブの厚み方向）に貫通させて野球用グラブへ固定するようにしてもよい。
【図面の簡単な説明】
【００１５】
【図１】掌部から見た野球用グラブの斜視図である。
【図２】親指袋に内装される芯材の斜視図である。
【図３】親指袋に内装される芯材の分解斜視図である。
【図４】小指袋に内装される芯材の斜視図である。
【図５】小指袋に内装される芯材の分解斜視図である。
【図６】親指袋に内装される他の構成の芯材の分解斜視図である。
【図７】親指袋に内装される芯材と小指袋に内装される芯材とを一体化した芯材の斜視図である。
【図８】図７で示した芯材を内装した野球用グラブの斜視図である。
【図９】親指袋に内装される他の構成の芯材の斜視図である。
【図１０】親指袋に内装される他の構成の芯材の斜視図である。
【図１１】掌部に内装した芯材を紐にて固定した状態の野球用グラブの斜視図である。
【符号の説明】
【００１６】
１  グラブ本体
１Ａ，１Ｂ，１Ｃ，１Ｄ，１Ｅ  指袋
１Ｓ  掌部
２，３  芯材
４Ａ  指部
４Ｂ  掌部
４，５，４Ｃ，５Ｃ  被覆部材
６，６Ｃ  第１補強材
７，７Ｃ  第２補強材
８，８Ｃ  貫通孔
９，１０  紐
１１  貫通孔
１２  紐
１３  掌部
【図１】
2005177058.tif 000003
【図２】
2005177058.tif 000004
【図３】
2005177058.tif 000005
【図４】
2005177058.tif 000006
【図５】
2005177058.tif 000007
【図６】
2005177058.tif 000008
【図７】
2005177058.tif 000009
【図８】
2005177058.tif 000010
【図９】
2005177058.tif 000011
【図１０】
2005177058.tif 000012
【図１１】
2005177058.tif 000013